【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】 出口面と入口面と背面端部とを備えた光伝達体と、
前記出口面に対して直角ではない入射軸に沿って入射する光を、前記入射軸とは異なる、所望の視野方向に向けられた出口軸へ再指向させる、前記出口面に配置された少なくとも１つの光再指向素子と、
を有し、
前記光再指向性素子は、それぞれが前記光の一部を受けて再指向させるために、前記出口面に沿って第１の方向において所定間隔にて隔置された複数のセレーションであって、各セレーションは全出口面に沿って前記第１の方向と対照的な第２の方向において連続的に延在しており、又各セレーションは、前記入口面から入射する前記光を伝達するために光学的に配列された透明な第１のファセットと、前記複数のセレーションのうち隣接する１つのセレーションの対向する第１のファセットからの前記光を反射するための反射性の第２のファセットと、を有することを特徴とする光学パネル。
【請求項２】  前記第２のファセットは反射面を有することを特徴とする請求項１の光学パネル。
【請求項３】  前記第２のファセットの前記反射面は、前記第２のファセットにホイルを取り付けることによって形成され、使用されるホイルは接着性裏材を有していることを特徴とする請求項２の光学パネル。
【請求項４】  前記反射面は、前記第２のファセットを高反射性材料で被覆することにより形成されることを特徴とする請求項２の光学パネル。
【請求項５】  前記第１のファセットは、第１の内側部分と、第１の外側部分と、を有することを特徴とする請求項１の光学パネル。
【請求項６】  前記第１のファセットの前記第１の外側部分は、周囲の光を吸収するために黒色とされていることを特徴とする請求項５の光学パネル。
【請求項７】  前記黒色は、前記第１の外側部分に黒色塗料を塗布することにより提供されることを特徴とする請求項６の光学パネル。
【請求項８】  前記黒色は、前記複数のセレーションをカーボンと一体成形することにより提供されることを特徴とする請求項７の光学パネル。
【請求項９】  前記第２のファセットは、第２の内側部分と、第２の外側部分と、を有することを特徴とする請求項５の光学パネル。
【請求項１０】  前記第２のファセットは、同じセレーションの前記第１のファセットの前記第１の外側部分への光の視線伝達を妨げ、一方、前記複数のセレーションのうち隣接する１つのセレーションの前記第１のファセットの前記第１の内側部分への光の伝達を許すように、前記入口面に対して配列されることを特徴とする請求項９の光学パネル。
【請求項１１】  前記第２のファセットの前記第２の外側部分は黒色であることを特徴とする請求項１０の光学パネル。
【請求項１２】  前記第２のファセットの前記第２の外側部分は反射性であることを特徴とする請求項９の光学パネル。
【請求項１３】  前記第１の外側部分と前記第２の外側部分の一部を除去するように、前記セレーションは先端を切り取られていることを特徴とする請求項９の光学パネル。
【請求項１４】  前記第１の外側部分と前記第２の外側部分を除去するように、前記セレーションは全体的に先端を切り取られていることを特徴とする請求項９の光学パネル。
【請求項１５】  前記全体的に先端を切り取ることで、前記出口面と平行な垂直前方面を形成することを特徴とする請求項１４の光学パネル。
【請求項１６】  前記光伝達体は複数の積層された光学導波路で形成されることを特徴とする請求項１の光学パネル。
【請求項１７】  各光学導波路は第１の端部と第２の端部とを有し、前記複数の第１の端部は前記出口面を形成し、前記複数の第２の端部は前記入口面を形成することを特徴とする請求項１６の光学パネル。
【請求項１８】  前記複数のセレーションは、前記第１の方向に沿う断面が略三角形であることを特徴とする請求項１の光学パネル。
【請求項１９】  前記複数のセレーションは、前記出口面内に切削されていることを特徴とする請求項１の光学パネル。
【請求項２０】  前記切削はフライス盤を使用して行われることを特徴とする請求項１９の光学パネル。
【請求項２１】  前記フライス盤は、曲がった切削面を有するありみぞフライスであることを特徴とする請求項２０の光学パネル。
【請求項２２】  前記第１の方向は垂直方向であり、前記第２の方向は水平方向であることを特徴とする請求項１の光学パネル。
【請求項２３】  前記各第２のファセットは、前記出口面に沿った垂直線から実質的に垂直上方に向かって外方へ傾斜しており、又前記複数のセレーションのうち隣接する１つのセレーションの前記第１のファセットに対して斜めに配列されていることを特徴とする請求項２２の光学パネル。
【請求項２４】  前記第２のファセットの角傾斜は、前記光を視野円錐形に形成するように、前記光の伝達軸と調和されており、前記視野円錐は実質的に前記出口面に対して直角であることを特徴とする請求項２３の光学パネル。
【請求項２５】  前記各第２のファセットは、垂直方向に向かって弧状とされることを特徴とする請求項２４の光学パネル。
【請求項２６】  前記第２のファセットは適当に粒状であり、前記光を水平方向に散乱させることを特徴とする請求項２２の光学パネル。
【請求項２７】  前記第２のファセットは粗くされ、前記光を水平方向に散乱させることを特徴とする請求項２２の光学パネル。
【請求項２８】  前記第２のファセットは凹状とされ、前記光を水平方向に散乱させることを特徴とする請求項２２の光学パネル。
【請求項２９】  前記第２のファセットは凸状とされ、前記光を水平方向に散乱させることを特徴とする請求項２２の光学パネル。
【請求項３０】  前記第２のファセットは二重に弧状とされ、前記光を水平方向及び垂直方向に散乱させることを特徴とする請求項２２の光学パネル。
【請求項３１】  前記第２のファセットは、一連の水平方向に繰り返す凸状又は凹状部分が形成されたスカラップ状とされ、前記光を水平方向に散乱させることを特徴とする請求項２２の光学パネル。
【請求項３２】  前記第２のファセットは、一連の前記第２の方向に沿って繰り返す凸状又は凹状部分が形成されたスカラップ状とされ、前記光を前記第２の方向に沿って散乱させることを特徴とする請求項１の光学パネル。
【請求項３３】  第１のシートを、該第１のシートより僅かに大きい寸法にされたトラフ内に配置すること、
前記トラフを熱硬化性エポキシで充填すること、
前記第１のシートと略同等の光伝達能をそれぞれが有している複数のシートを前記トラフ内の前記第１のシートの上に積層し、これにより各シートの間にエポキシの層を形成すること、
前記積層により形成された積層体に一様な圧力を加え、これにより前記エポキシを流動させて２枚の隣接するシートの間で略一様なレベルとすること、
前記積層体をベーキングして硬化させること、
前記シートの割れを防止するために前記積層体をゆっくり冷却すること、
前記積層体を鋸に対して配置し、該鋸を使用して、ある角度にて２つの対向する端部で前記積層体を切断し、入口面と出口面とを有する楔形パネルを形成すること、
前記出口面に入射する光を制御された光錐に導く複数の光再指向性素子を前記出口面に形成すること、
を含むことを特徴とする制御された光錐を発する積層された導波路光学パネルの製造方法。
【請求項３４】  前記エポキシの色は黒色であることを特徴とする請求項３３の方法。
【請求項３５】  前記エポキシは、前記第１のシートの屈折率より小さい屈折率を有することを特徴とする請求項３３の方法。
【請求項３６】  前記積層は９０度未満の角度にて行われることを特徴とする請求項３３の方法。
【請求項３７】  前記積層は、約６００枚〜約８００枚のシートが積層されるまで繰り返されることを特徴とする請求項３３の方法。
【請求項３８】  前記略一様なレベルは約０．０００５ｃｍ（０．０００２インチ）であることを特徴とする請求項３３の方法。
【請求項３９】  前記鋸はダイアモンド鋸であることを特徴とする請求項３３の方法。
【請求項４０】  前記ベーキングは約８０℃で行われることを特徴とする請求項３３の方法。
【請求項４１】  更に、前記切断された積層体を研磨し鋸跡を除去することを含むことを特徴とする請求項３３の方法。
【請求項４２】  前記研磨はダイアモンドポリッシャーを使用して行われることを特徴とする請求項４１の方法。
【請求項４３】  前記複数の光再指向性素子は複数のセレーションであることを特徴とする請求項３３の方法。
【請求項４４】  前記複数のセレーションの形成は、
フライス盤内にプラスチックＰＯＤを固定すること、
前記出口面の前記導波路と合致する複数のセレーション溝を切削するように、前記フライス盤をプログラムすること、
を含むことを特徴とする請求項４３の方法。
【請求項４５】  前記プログラムは、前記セレーション溝が、少なくとも１つのセレーションの各導波路に対しての合致を示し得るように行われることを特徴とする請求項４４の方法。
【請求項４６】  第１のシートを、該第１のシートより僅かに大きい寸法にされたトラフ内に配置すること、
前記トラフを熱硬化性エポキシで充填すること、
前記第１のシートと略同等の光伝達能をそれぞれが有している複数のシートを前記トラフ内の前記第１のシートの上に積層し、これにより各シートの間にエポキシの層を形成すること、
前記積層により形成された積層体に一様な圧力を加え、これにより前記エポキシを流動させて２枚の隣接するシートの間で略一様なレベルとすること、
前記積層体をベーキングして硬化させること、
前記シートの割れを防止するために前記積層体をゆっくり冷却すること、
前記積層体を鋸に対して配置し、該鋸を使用して、ある角度にて２つの対向する端部で前記積層体を切断し、入口面と出口面とを有する楔形パネルを形成すること、
前記出口面に入射する光を制御された光錐に導く、複数のセレーションである複数の光再指向性素子を、前記出口面の近傍に提供すること、
を含み、
前記複数のセレーションの前記提供は、
基準出口面に合致する単一のマスターセレーショングリッドを形成すること、
新規セレーショングリッドを、前記単一のマスターセレーショングリッドから複製すること、
複数のセレーションをその上に有する前記新規セレーショングリッドを前記出口面に固定すること、
を含むことを特徴とする制御された光錐を発する積層された導波路光学パネルの製造方法。